【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
当量約１５０〜約６０００および官能価約２〜約８を有するポリオキシアルキレン含有ポリオールの一段製造方法であって、
（１）（ａ）（ｉ）構造：
【化１】
2008001903.tif 000001
〔式中、Ｒ１、Ｒ２、Ｒ３、Ｒ４およびＲ５は、各々独立して水素原子、ヒドロキシル基、ハロゲン原子、置換または非置換であり得る１〜２０個の炭素原子を有するアルキル基、置換または非置換であり得る３〜７個の炭素原子を有する脂環族基、置換または非置換であり得る６個の炭素原子を有するアリール基、置換または非置換であり得る７〜２０個の炭素原子を有するアラルキル基を表し、または任意の２つの隣接Ｒ基は、合わせて合計２〜４個の炭素原子を有していてもよく、およびベース構造と共に必要に応じて置換されていてもよい縮合環を形成していてもよく、但し、Ｒ１、Ｒ３またはＲ５の少なくとも１つは、常に水素原子を表す。〕
で示される置換または非置換のモノまたはポリフェノールと、
（ｉｉ）構造：
【化２】
2008001903.tif 000002
〔式中、Ｒ６およびＲ７は、各々独立して水素原子、置換または非置換であり得る１〜２０個の炭素原子を有するアルキル基、置換または非置換であり得る３〜７個の炭素原子を有する脂環族基、置換または非置換であり得る６個の炭素原子を有するアリール基、置換または非置換であり得る７〜２０個の炭素原子を有するアラルキル基を表し、またはＲ６およびＲ７は、環中に５〜７個の炭素原子を有する置換または非置換の環を形成する。〕
で示される化合物
との縮合生成物を含んでなる官能価２〜８および当量約３５〜約５７５を有する有機化合物約１〜約７０重量％と、
（ｂ）当量約１００〜約６０００および官能価約２〜約８を有するヒドロキシル官能性成分約３０重量％〜約９９重量％
を混合し（ここで（ａ）および（ｂ）の重量％の合計は、（１）で形成される混合物１００重量％となる）、そして
（２）（１）からの混合物を、
（ｃ）一以上のアルキレンオキシドで、
（ｄ）一以上の二重金属シアン化物触媒の存在下、
アルコキシル化することを含む、方法。
【請求項２】
（ｂ）上記ヒドロキシル官能性成分は、
（１）官能価約２〜約８および当量約３５〜約５７５を有する出発物質と、
（２）一以上のアルキレンオキシド
との反応生成物を含んでなる当量約１５０〜約６０００および官能価約２〜８を有するポリエーテルポリオールを含んでなる、請求項１に記載の方法。
【請求項３】
（ｂ）（１）上記出発物質は、
（ｉ）構造：
【化３】
2008001903.tif 000003
〔式中、Ｒ８、Ｒ９、Ｒ１０、Ｒ１１およびＲ１２は、各々独立して水素原子、ヒドロキシル基、ハロゲン原子、置換または非置換であり得る１〜２０個の炭素原子を有するアルキル基、置換または非置換であり得る３〜７個の炭素原子を有する脂環族基、置換または非置換であり得る６個の炭素原子を有するアリール基、または置換または非置換であり得る７〜２０個の炭素原子を有するアラルキル基を表し、または任意の２つの隣接Ｒ基は、合わせて合計２〜４個の炭素原子を有していてもよく、およびベース構造と共に必要に応じて置換されていてもよい縮合環を形成していてもよく、但し、Ｒ８、Ｒ１０またはＲ１２の少なくとも１つは、常に水素原子を表す。〕
で示される置換または非置換のモノまたはポリフェノールと、
（ｉｉ）構造：
【化４】
2008001903.tif 000004
〔式中、Ｒ１３およびＲ１４は、各々独立して水素原子、置換または非置換であり得る１〜２０個の炭素原子を有するアルキル基、置換または非置換であり得る３〜７個の炭素原子を有する脂環族基、置換または非置換であり得る６個の炭素原子を有するアリール基、置換または非置換であり得る７〜２０個の炭素原子を有するアラルキル基を表し、またはＲ６およびＲ７は、環中に５〜７個の炭素原子を有する置換または非置換の環を形成する。〕
で示される化合物
との縮合生成物を含んでなる官能価約２〜８および当量約３５〜約５７５を有する有機化合物を含んでなる、請求項２に記載の方法。
【請求項４】
（ａ）上記有機化合物は、２，２−ビス（４−ヒドロキシフェニル）プロパン、１，１−ビス（４−ヒドロキシフェニル）−３，３，５−トリメチルシクロヘキサン、４，４’−（１−メチルエチリデン）ビス［２，６−ジブロモフェノール］およびノボラック樹脂からなる群から選択される化合物である、請求項１に記載の方法。
【請求項５】
（ｂ）（１）上記出発物質は、２，２−ビス（４−ヒドロキシフェニル）プロパン、１，１−ビス（４−ヒドロキシフェニル）−３，３，５−トリメチルシクロヘキサン、４，４’−（１−メチルエチリデン）ビス［２，６−ジブロモフェノール］およびノボラック樹脂からなる群から選択される有機化合物を含んでなる、請求項３に記載の方法。
【請求項６】
（ａ）上記有機化合物１０〜７０重量％と、（ｂ）上記ヒドロキシル官能性化合物３０〜９０重量％を使用する（ここで（ａ）および（ｂ）の重量％の合計は、（１）で形成される混合物１００重量％となる）、請求項１に記載の方法。
【請求項７】
得られるポリオキシアルキレン含有ポリオールは、当量約２８０〜約２０００および官能価約２〜約４を有する、請求項１に記載の方法。
【請求項８】
（ａ）上記有機化合物は、当量約７０〜約２８０および官能価約２〜約４を有する、請求項１に記載の方法。
【請求項９】
（ｂ）上記ヒドロキシル官能性成分は、当量約１５０〜約６０００および官能価約２〜約４を有する、請求項１に記載の方法。
【請求項１０】
構造（Ｉ）において、Ｒ１、Ｒ２、Ｒ３、Ｒ４およびＲ５のいずれかは、各々水素原子を表すか、あるいはＲ１およびＲ５は、各々ハロゲン原子を表し、およびＲ２、Ｒ３およびＲ４は、各々水素原子を表し、および構造（ＩＩ）において、Ｒ６およびＲ７は、互いに独立して水素原子またはメチル基のいずれかを表す、請求項１に記載の方法。
【請求項１１】
構造（ＩＩＩ）において、Ｒ８、Ｒ９、Ｒ１０、Ｒ１１およびＲ１２のいずれかは、各々水素原子を表すか、あるいはＲ８およびＲ１２は、各々ハロゲン原子を表し、およびＲ９、Ｒ１０およびＲ１１は、各々水素原子を表し、および構造（ＩＶ）において、Ｒ１３およびＲ１４は、互いに独立して水素原子またはメチル基のいずれかを表す、請求項３に記載の方法。
【請求項１２】
（ｃ）上記一以上のアルキレンオキシドは、エチレンオキシド、プロピレンオキシドおよびそれらの混合物からなる群から選択される、請求項１に記載の方法。
【請求項１３】
（ｂ）（２）上記一以上のアルキレンオキシドは、エチレンオキシド、プロピレンオキシドおよびそれらの混合物からなる群から選択される、請求項２に記載の方法。
【請求項１４】
当量約１５０〜約６０００を有する２，２−ビス（４−ヒドロキシフェニル）プロパン出発ポリエーテルポリオールの一段製造方法であって、
（１）（ａ）２，２−ビス（４−ヒドロキシフェニル）プロパン約１重量％〜約７０重量％と、
（ｂ）当量約１５０〜６０００を有する２，２−ビス（４−ヒドロキシフェニル）プロパン出発ポリエーテルポリオール約３０重量％〜約９９重量％
を混合し、そして
（２）（１）からの混合物を、
（ｃ）一以上のアルキレンオキシドで、
（ｄ）一以上の二重金属シアン化物触媒の存在下、
アルコキシル化することを含む、方法。